(57)【要約】【課題】電子機器において、音声伝送部における音声伝送用配線と電子機器における電子機器配線とをまとめる。【解決手段】音声信号を伝送する音声伝送部が接続される電子機器は；音声伝送部に配置された音声伝送用配線が接続される音声配線接続部を有する制御部と；制御部と使用者の上半身に配置される特定装置とを接続する電子機器配線と；を備える。制御部は、音声伝送部と制御部との間の音声信号の伝送を制御し；電子機器配線は、電子機器配線と音声伝送用配線との相対位置を所定の範囲に限定する位置限定部を有する。【選択図】図２
2014075683.tif 000002
【特許請求の範囲】
【請求項１】
音声信号を伝送する音声伝送部が接続される電子機器であって、
前記音声伝送部に配置された音声伝送用配線が接続される音声配線接続部を有する制御部と、
前記制御部と使用者の上半身に配置される特定装置とを接続する電子機器配線と、を備え、
前記制御部は、前記音声伝送部と前記制御部との間の音声信号の伝送を制御し、
前記電子機器配線は、前記電子機器配線と前記音声伝送用配線との相対位置を所定の範囲に限定する位置限定部を有する、電子機器。
【請求項２】
請求項１に記載の電子機器であって、
前記特定装置は、画像を表す画像光を生成する画像光生成部を有し、使用者の頭部に装着された状態において使用者に前記画像光を虚像として認識させる頭部装着型画像表示装置であり、
前記制御部は、前記頭部装着型画像表示装置の制御を行なう、電子機器。
【請求項３】
請求項１または請求項２に記載の電子機器であって、
前記電子機器配線は、前記音声伝送用配線と着脱可能に形成される複数の前記位置限定部を有する、電子機器。
【請求項４】
請求項１から請求項３までのいずれか一項に記載の電子機器であって、
前記位置限定部は、前記電子機器配線の長さ方向のうち１０パーセント以上の長さを有するように形成されている、電子機器。
【請求項５】
請求項１から請求項４までのいずれか一項に記載の電子機器であって、さらに、
操作を受け付ける操作部を備え、
前記位置限定部は、前記音声伝送用配線に形成された金属部に、前記操作に基づいて吸着する電磁石である、電子機器。
【請求項６】
請求項１から請求項５までのいずれか一項に記載の電子機器であって、
前記制御部は、前記特定装置の位置と向きとのうち少なくとも一方の変化を検出する検出部を有し、
前記位置限定部は、前記検出に基づいて前記所定の範囲を調整する、電子機器。
【請求項７】
請求項６に記載の電子機器であって、
前記検出部は、前記特定装置の位置の変化を検出し、
前記位置限定部は、前記変化の量が予め設定された閾値以上の場合に、前記所定の範囲を小さくする、電子機器。
【請求項８】
請求項６または請求項７に記載の電子機器であって、
前記電子機器配線は、前記音声伝送用配線を螺旋状に取り囲み、
前記位置限定部は、前記電子機器配線の長さ方向における長さを短くすることにより、前記所定の範囲を小さくする、電子機器。
【請求項９】
電子機器システムであって、
音声信号を伝送する音声伝送部と、
前記音声伝送部に配置された音声伝送用配線が接続される音声配線接続部を有し、前記音声伝送部との音声信号を制御する制御装置と、
前記制御部と使用者の上半身に配置される特定装置とを接続する電子機器配線と、を備え、
前記電子機器配線と前記音声伝送用配線とのうち少なくとも一方は、前記電子機器配線と前記音声伝送用配線との相対位置を所定の範囲に限定する位置限定部を有する、電子機器。
【発明の詳細な説明】
【技術分野】
【０００１】
本発明は、電子機器に関する。
【背景技術】
【０００２】
耳に装着する音声出力装置として、例えば、電子機器に接続するイヤホンが知られている。イヤホンは、電子機器から出力される音声信号を電子機器とイヤホンとを接続するイヤホンコードを介して、音声信号に基づき音声を出力する。特許文献１には、使用者の耳に装着されたイヤホンのイヤホンコードと、耳たぶに取り付けられた脈拍センサーと電子機器とを接続するコードと、をまとめるコードクリップおよびイヤホンコードとコードとの余長を収納するコード収納カバーについて開示されている。また、特許文献２には、首に吊り下げるネックストラップに形成された複数の鉄製のコードクリップに、一部が螺旋状のカールコードとして構成されたイヤホンコードを装着し、カールコードの中心を通るように形成されたワイヤーによってカールコードが垂れ下がることを防止し、カールコードの端部に形成された磁石とネックストラップにおける鉄製のコードクリップとが吸着することでカールコードの長さを調節できる携帯用音響機器について開示されている。
【先行技術文献】
【特許文献】
【０００３】
【特許文献１】特開２０１０−７５２６３号公報
【特許文献２】特開２００２−１６９９５号公報
【特許文献３】特開２００１−３２６７１２号公報
【特許文献４】特開２００４−１４５２３１号公報
【特許文献５】特開２００５−２００８５号公報
【発明の概要】
【発明が解決しようとする課題】
【０００４】
しかし、特許文献１に記載された技術では、複数のコードクリップ間に隙間があるため、コードが何かに引っかかってしまう可能性がある。また、コードクリップを使用者が着用している衣服等に固定するため、コードが接続しているコントローラーを動かす場合には、コードの配置における自由度が小さくなってしまうという課題があった。また、特許文献２に記載された技術では、コードとは別に、例えば、ネックストラップといった電子機器の機能を発揮することとは関係のない不要なアイテムが必要になるという課題があった。そのため、電子機器において、イヤホンコードとその他のコードとにおける配置の自由度を失わないでまとめる技術が望まれていた。そのほか、従来の電子機器におけるイヤホンコードとコードとのまとめ方において、その小型化や、低コスト化、使い勝手の向上等が望まれていた。なお、上述の課題は、イヤホンに限らず、音声入力を行なうマイクを含む音声信号を伝送する音声伝送装置に共通する課題であった。
【課題を解決するための手段】
【０００５】
本発明は、上述の課題の少なくとも一部を解決するためになされたものであり、以下の形態として実現することが可能である。
【０００６】
（１）本発明の一形態によれば、音声信号を伝送する音声伝送部が接続される電子機器が提供される。この電子機器は、前記音声伝送部に配置された音声伝送用配線が接続される音声配線接続部を有する制御部と；前記制御部と使用者の上半身に配置される特定装置とを接続する電子機器配線と、を備え；前記制御部は、前記音声伝送部と前記制御部との間の音声信号の伝送を制御し；前記電子機器配線は、前記電子機器配線と前記音声伝送用配線との相対位置を所定の範囲に限定する位置限定部を有する。この形態の電子機器によれば、電子機器配線によって、電子機器配線と音声伝送用配線との相対位置が一定の範囲に限られるため、音声伝送用配線の動きが規制される。よって、音声伝送用配線が他の物に引っかかるおそれがなくなり、使用者が電子機器配線および音声伝送用配線を介して制御部および音声伝送部を快適に使用することができる。また、電子機器配線によって、音声伝送用配線を簡単にまとめることができる。また、電子機器配線を使用者の体の一部に固定する必要がないため、音声伝送部以外に新たな機器を必要としないで、電子機器配線および音声伝送用配線の配置の自由度を向上させることができる。
【０００７】
（２）上記形態の電子機器において、前記特定装置は、画像を表す画像光を生成する画像光生成部を有し、使用者の頭部に装着された状態において使用者に前記画像光を虚像として認識させる頭部装着型画像表示装置であり；前記制御部は、前記頭部装着型画像表示装置の制御を行なっても良い。この形態の電子機器によれば、電子機器配線と音声伝送用配線とは、同じ制御部に接続され、頭部に装着された頭部装着型画像表示装置に接続している。よって、電子機器配線および音声伝送用配線が同じ使用者の頭部の方向に向かっているため、一体化してまとめることで、使用者は、電子機器および頭部装着型画像表示装置をより快適に使用することができる。
【０００８】
（３）上記形態の電子機器において、前記電子機器配線は、前記音声伝送用配線と着脱可能に形成される複数の前記位置限定部を有していても良い。この形態の電子機器によれば、電子機器配線と音声伝送用配線との相対位置は、配線の長さ方向においても固定され、電子機器配線と音声伝送用配線とをより一体化してまとめることができる。また、電子機器配線と音声伝送用配線との取り外しが可能であるため、利便性が向上する。
【０００９】
（４）上記形態の電子機器において、前記位置限定部は、前記電子機器配線の長さ方向のうち１０パーセント以上の長さを有するように形成されていても良い。この形態の電子機器によれば、位置限定部によって、音声伝送用配線を電子機器配線における１０％以上の長さにおいて一体化するので、音声伝送用配線と電子機器配線との相対位置を強く固定することができる。また、汎用性が高いコードをまとめる方法を提供することができる。
【００１０】
（５）上記形態の電子機器において、さらに；操作を受け付ける操作部を備え；前記位置限定部は、前記音声伝送用配線に形成された金属部に、前記操作に基づいて吸着する電磁石であっても良い。この形態の電子機器によれば、使用者は、操作部を操作することにより、電子機器配線と音声伝送用配線とを簡便に取り外すことができる。
【００１１】
（６）上記形態の電子機器において、前記制御部は、前記特定装置の位置と向きとのうち少なくとも一方の変化を検出する検出部を有し；前記位置限定部は、前記検出に基づいて前記所定の範囲を調整しても良い。この形態の電子機器によれば、使用者の位置または向きの変化を検出して、電子機器配線と音声伝送用配線との相対位置を限定する範囲を状況に応じて変更するので、使用者は、電子機器をより快適に使用することができる。
【００１２】
（７）上記形態の電子機器において、前記検出部は、前記特定装置の位置の変化を検出し；前記位置限定部は、前記変化の量が予め設定された閾値以上の場合に、前記所定の範囲を小さくしても良い。この形態の電子機器によれば、使用者の動きを検出して、電子機器配線と音声伝送用配線との相対位置を限定する範囲を状況に応じて変更するので、使用者は、電子機器をより快適に使用することができる。
【００１３】
（８）上記形態の電子機器において、前記電子機器配線は、前記音声伝送用配線を螺旋状に取り囲み；前記位置限定部は、前記電子機器配線の長さ方向における長さを短くすることにより、前記所定の範囲を小さくしても良い。この形態の電子機器によれば、簡便な構造によって電子機器配線と音声伝送用配線との相対位置を調整できる。また、電子機器配線は、螺旋状の配線であるため、長さ方向に伸縮自在であり、使用者の操作性を向上させることができる。
【００１４】
（９）本発明の他の態様によれば、電子機器システムが提供される。この電子機器システムは、音声信号を伝送する音声伝送部と；前記音声伝送部に配置された音声伝送用配線が接続される音声配線接続部を有し、前記音声伝送部との音声信号を制御する制御装置と；前記制御部と使用者の上半身に配置される特定装置とを接続する電子機器配線と、を備え；前記電子機器配線と前記音声伝送用配線とのうち少なくとも一方は、前記電子機器配線と前記音声伝送用配線との相対位置を所定の範囲に限定する位置限定部を有する。この形態の電子機器システムによれば、音声伝送用配線と電子機器配線との相対位置を所定の範囲に限定する構造は、音声伝送用配線または電子機器配線のいずれか一方に形成されていれば良い。そのため、相対位置を所定の範囲に限定する構造を形成する配線を自由に選択できるため、この電子機器システムにおける設計の自由度が向上する。
【００１５】
上述した本発明の各形態の有する複数の構成要素はすべてが必須のものではなく、上述の課題の一部または全部を解決するため、あるいは、本明細書に記載された効果の一部または全部を達成するために、適宜、前記複数の構成要素の一部の構成要素について、その変更、削除、新たな他の構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１６】
例えば、本発明の一形態は、制御部と、電子機器配線と、の２つ要素の内の一つ以上または全部の要素を備えた装置として実現可能である。すなわち、この装置は、制御部を有していても良く、有していなくても良い。また、装置は、電子機器配線を有していても良く、有していなくても良い。制御部は、例えば、前記音声伝送部に配置された音声伝送用配線が接続される音声配線接続部を有し、前記音声伝送部との音声信号を制御するとしても良い。電子機器配線は、例えば、前記制御部と使用者の上半身に配置される特定装置とを接続しても良い。こうした装置は、例えば電子機器として実現できるが、電子機器以外の他の装置としても実現可能である。このような形態によれば、装置の操作性の向上、着脱時の容易化、装置の一体化や、製造の容易化等の種々の課題の少なくとも１つを解決することができる。前述した頭部装着型表示装置の各形態の技術的特徴の一部または全部は、いずれもこの装置に適用することが可能である。
【００１７】
本発明は、電子機器以外の種々の形態で実現することも可能である。例えば、電子機器の制御方法、電子機器システム、頭部装着型表示装置の制御方法、頭部装着型表示システム、配線を有する装置、配線を有する装置の制御方法、これらの方法、装置またはシステムの機能を実現するためのコンピュータープログラム、そのコンピュータープログラムを記録した記録媒体、そのコンピュータープログラムを含み搬送波内に具現化されたデータ信号等の形態で実現することができる。
【図面の簡単な説明】
【００１８】
【図１】本発明の実施形態における頭部装着型表示装置１００の外観構成を示す説明図である。
【図２】使用者に頭部装着型表示装置１００が装着された状態を示す説明図である。
【図３】本実施形態における頭部装着型表示装置１００の構成を機能的に示す説明図である。
【図４】本体コード４８と共通イヤホンコード７４とにおける限定範囲調整処理の流れを示す説明図である。
【図５】本体コード４８と共通イヤホンコード７４との関係の一例を示す説明図である。
【図６】第１変形例における頭部装着型表示装置１００ａが使用者に装着された状態を示す説明図である。
【図７】第２変形例における本体コード４８ｂと共通イヤホンコード７４ｂとの関係の一例を示す説明図である。
【図８】第３変形例における本体コード４８ｃと共通イヤホンコード７４ｃとの関係の一例を示す説明図である。
【図９】第４変形例における本体コード４８ｄと共通イヤホンコード７４ｄとの関係の一例を示す説明図である。
【図１０】第５変形例における本体コード４８ｅと共通イヤホンコード７４ｅとの関係の一例を示す説明図である。
【図１１】第６変形例における本体コード４８ｆと共通イヤホンコード７４ｆとの関係の一例を示す説明図である。
【発明を実施するための形態】
【００１９】
次に、本発明の実施の形態を実施形態に基づいて以下の順序で説明する。
Ａ．実施形態：
Ａ−１．頭部装着型表示装置の構成：
Ａ−２．限定範囲調整処理：
Ｂ．変形例：
【００２０】
Ａ．実施形態：
Ａ−１．頭部装着型表示装置の構成：
図１は、本発明の実施形態における頭部装着型表示装置１００の外観構成を示す説明図である。頭部装着型表示装置１００は、頭部に装着する表示装置であり、ヘッドマウントディスプレイ（Head Mounted Display、ＨＭＤ）とも呼ばれる。本実施形態の頭部装着型表示装置１００は、使用者が、虚像を視認すると同時に外景も直接視認可能な光学透過型の頭部装着型表示装置である。なお、本明細書では、頭部装着型表示装置１００によって使用者が視認する虚像を便宜的に「表示画像」とも呼ぶ。
【００２１】
頭部装着型表示装置１００は、使用者の頭部に装着された状態において使用者に虚像を視認させる画像表示部２０と、画像表示部２０を制御する制御部（コントローラー）１０と、画像表示部２０と制御部１０とを接続する画像表示接続部４０と、使用者の耳に装着されて音声を出力するイヤホン７０と、を備えている。
【００２２】
画像表示部２０は、使用者の頭部に装着される装着体であり、本実施形態では眼鏡形状に形成されている。画像表示部２０は、右保持部２１と、右表示駆動部２２と、左保持部２３と、左表示駆動部２４と、右光学像表示部２６と、左光学像表示部２８と、検出部６２と、を含んでいる。右光学像表示部２６および左光学像表示部２８は、頭部装着型表示装置１００の装着時における使用者の右および左の眼前に対応する位置に配置されている。右光学像表示部２６の一端と、左光学像表示部２８の一端は、それぞれ、頭部装着型表示装置１００の装着時における使用者の眉間に対応する位置で接続されている。右光学像表示部２６の他端である端部ＥＲからは、右保持部２１が延伸している。同様に、左光学像表示部２８の他端である端部ＥＬからは、左保持部２３が延伸している。
【００２３】
右保持部２１は、右光学像表示部２６の端部ＥＲから、頭部装着型表示装置１００の装着時における使用者の側頭部に対応する位置にかけて、右光学像表示部２６とほぼ直角をなすように延伸して設けられた部材である。同様に、左保持部２３は、左光学像表示部２８の端部ＥＬから、頭部装着型表示装置１００の装着時における使用者の側頭部に対応する位置にかけて、左光学像表示部２８とほぼ直角をなすように延伸して設けられた部材である。右保持部２１と、左保持部２３は、眼鏡のテンプル（つる）のようにして、使用者の頭部に頭部装着型表示装置１００を保持する。
【００２４】
右表示駆動部２２は、右保持部２１の内側（換言すれば、頭部装着型表示装置１００の装着時における使用者の頭部に対向する側）であって、右光学像表示部２６の端部ＥＲ側に配置されている。また、左表示駆動部２４は、左保持部２３の内側であって、左光学像表示部２８の端部ＥＬ側に配置されている。なお、以降では、右表示駆動部２２および左表示駆動部２４を総称して単に「表示駆動部」とも呼び、右光学像表示部２６および左光学像表示部２８を総称して単に「光学像表示部」とも呼ぶ。表示駆動部２２、２４は、本発明における画像光生成部に相当する。
【００２５】
表示駆動部２２、２４は、図示しないＬＣＤ（Liquid Crystal Display：液晶ディスプレイ）や、投写光学系等を含む。詳細は後述する。光学部材としての光学像表示部２６、２８は、図示しない導光板と、調光板とを含んでいる。導光板は、光透過性の樹脂材料等によって形成され、表示駆動部２２、２４から取り込んだ画像光を使用者の眼に向けて出力させる。調光板は、薄板状の光学素子であり、頭部装着型表示装置１００の表側（使用者の眼の側とは反対の側）を覆うように配置されている。調光板は、導光板を保護し、導光板の損傷や、汚れの付着等を抑制するとともに、調光板の光透過率を調整することにより、使用者の眼に入る外光量を調整し、虚像の視認のしやすさを調整することができる。なお、調光板は省略可能である。
【００２６】
検出部６２は、右表示駆動部２２の筐体内部に配置されている。検出部６２は、画像表示部２０の加速度を検出する加速度センサーである。本実施形態における検出部６２は、電圧出力方式の３軸加速度センサーであり、画像表示部２０の３軸（Ｘ軸、Ｙ軸、Ｚ軸）の加速度を検出する。検出部６２は、重力加速度や画像表示部２０の傾きの検出が可能である。
【００２７】
画像表示接続部４０は、制御部１０に接続される本体コード４８と、本体コード４８の途中に形成されたコードホルダー４９と、本体コード４８が２本に分岐した右本体コード４２と、左本体コード４４と、分岐点に設けられた本体コード連結部材４６と、を含んでいる。右本体コード４２は、右保持部２１の延伸方向の先端部ＡＰから右保持部２１の筐体内に接続され、右表示駆動部２２に接続されている。同様に、左本体コード４４は、左保持部２３の延伸方向の先端部ＡＰから左保持部２３の筐体内に接続され、左表示駆動部２４に接続されている。なお、右本体コード４２および左本体コード４４は、画像表示部２０と接続端子（図示していない）によって、着脱可能なコードである。また、画像表示部２０は、本発明における特定装置および頭部装着型画像表示装置に相当し、画像表示接続部４０は、本発明における電子機器配線に相当する。
【００２８】
画像表示部２０と制御部１０とは、画像表示接続部４０を介して各種信号の伝送を行う。本体コード４８における本体コード連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。本体コード４８には、一部が長さ方向に沿って螺旋状に巻かれたコード４７（以降、「カールコード」とも呼ぶ）として形成されている。コードホルダー４９は、本体コード４８の余分なコードが絡まないように、本体コード４８を巻き取ることができるコードホルダーである。右本体コード４２と、左本体コード４４と、本体コード４８と、には、例えば、金属ケーブルや光ファイバーを採用することができる。
【００２９】
制御部１０は、頭部装着型表示装置１００を操作し、イヤホン７０に音声信号を出力するための装置である。制御部１０は、決定キー１１と、点灯部１２と、表示切替キー１３と、トラックパッド１４と、輝度切替キー１５と、方向キー１６と、メニューキー１７と、電源スイッチ１８と、イヤホンジャック１９と、を含んでいる。決定キー１１は、押下操作を検出して、制御部１０で操作された内容を決定する信号を出力する。点灯部１２は、頭部装着型表示装置１００の動作状態（例えば、電源のＯＮ／ＯＦＦ等）を、その発光状態によって通知する。点灯部１２としては、例えば、ＬＥＤ（Light Emitting Diode）を用いることができる。表示切替キー１３は、押下操作を検出して、例えば、コンテンツ動画の表示モードを３Ｄと２Ｄとに切り替える信号を出力する。トラックパッド１４は、トラックパッド１４の操作面上での使用者の指の操作を検出して、検出内容に応じた信号を出力する。トラックパッド１４としては、静電式や圧力検出式、光学式といった種々のトラックパッドを採用することができる。輝度切替キー１５は、押下操作を検出して、画像表示部２０の輝度を増減する信号を出力する。方向キー１６は、上下左右方向に対応するキーへの押下操作を検出して、検出内容に応じた信号を出力する。電源スイッチ１８は、スイッチのスライド操作を検出することで、頭部装着型表示装置１００の電源投入状態を切り替える。イヤホンジャック１９は、イヤホン７０に形成されたイヤホンプラグ７１と接続する接続部である。
【００３０】
イヤホン７０は、制御部１０に接続されて、制御部１０からの音声信号を音声として装着した使用者の耳へと出力する装置である。イヤホン７０は、イヤホンプラグ７１と、右スピーカー７２Ｒと、左スピーカー７２Ｌと、共通イヤホンコード７４と、右イヤホンコード７３Ｒと、左イヤホンコード７３Ｌと、コード結合部７５と、で構成されている。なお、イヤホン７０は、本発明における音声伝送部（「音声伝送装置」であっても良い）に相当する。
【００３１】
イヤホンプラグ７１は、一端が制御部１０におけるイヤホンジャック１９と接続して固定され、もう一端が共通イヤホンコード７４に接続されており、イヤホン７０と制御部１０とを接続する接続端子である。共通イヤホンコード７４は、イヤホンプラグ７１と接続されている一端の反対側でコード結合部７５を介して、右イヤホンコード７３Ｒおよび左イヤホンコード７３Ｌに接続されている。右イヤホンコード７３Ｒおよび左イヤホンコード７３Ｌは、それぞれ、コード結合部７５と接続している一端の反対側で使用者の右耳に装着される右スピーカー７２Ｒおよび使用者の左耳に装着される左スピーカー７２Ｌと接続している。なお、共通イヤホンコード７４、コード結合部７５、右イヤホンコード７３Ｒおよび左イヤホンコード７３Ｌは、本発明の音声伝送用配線に相当する。また、イヤホンプラグ７１は、本発明における音声配線接続部に相当する。
【００３２】
図２は、使用者に頭部装着型表示装置１００が装着された状態を示す説明図である。図２に示すように、使用者が画像表示部２０を頭部に装着した状態では、イヤホン７０と画像表示接続部４０とのコードが絡まらないようにするため、イヤホン７０の共通イヤホンコード７４は、本体コード４８のカールコード４７の内部を通るように配置される。そのため、共通イヤホンコード７４は、カールコード４７の内部のみを動くことができる。すなわち、本体コード４８と共通イヤホンコード７４との相対位置が所定の範囲に限定される。また、本体コード４８は、コードホルダー４９を介して長さが調整され、長さ方向に引っ張られると、単位長さあたりの螺旋の巻き回数が少なくなると共に、長さ方向に垂直な断面における螺旋の半径が小さくなる長さ方向に伸縮可能なコードである。なお、カールコード４７およびコードホルダー４９は、本発明における位置限定部に相当する。カールコード４７を含むＸ１部については、後述する。
【００３３】
図３は、本実施形態における頭部装着型表示装置１００の構成を機能的に示す説明図である。図３に示すように、制御部１０は、ＣＰＵ１４０と、使用者により操作される操作部１３５（本実施形態では、決定キー１１、表示切替キー１３、トラックパッド１４、輝度切替キー１５、方向キー１６、メニューキー１７、電源スイッチ１８）と、使用者による操作入力に応じた信号（例えば、トラックパッド１４や方向キー１６、電源スイッチ１８に対する操作入力）を取得する入力情報取得部１１０と、ＲＯＭやＲＡＭ等により構成された記憶部１２０と、頭部装着型表示装置１００の各部に電力を供給する電源１３０と、画像（静止画像、動画像）や音声等のコンテンツデータの供給元となる種々の外部機器ＯＡ（例えば、パーソナルコンピューターＰＣや携帯電話端末、ゲーム端末）を接続するためのインターフェイス１８０と、送信部（Ｔｘ）５１および５２と、イヤホンジャック１９と、を有している。電源１３０としては、例えば二次電池を用いることができ、インターフェイス１８０としては、例えばＵＳＢインターフェイスやメモリーカード用インターフェイス、無線ＬＡＮインターフェイス等を採用することができる。
【００３４】
記憶部１２０には、種々のコンピュータープログラムが格納されており、ＣＰＵ１４０は、記憶部１２０からコンピュータープログラムを読み出して実行することにより、オペレーティングシステム（ＯＳ）１５０、画像処理部１６０、表示制御部１９０、音声処理部１７０、検出処理部１６５として機能する。
【００３５】
画像処理部１６０は、インターフェイス１８０を介して入力されるコンテンツに基づき、クロック信号ＰＣＬＫ、垂直同期信号ＶＳｙｎｃ、水平同期信号ＨＳｙｎｃ、画像データＤａｔａを生成し、画像表示接続部４０を介してこれらの信号を画像表示部２０に供給する。具体的には、画像処理部１６０は、コンテンツに含まれる画像信号を取得する。取得した画像信号は、例えば動画像の場合、一般的に、１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃの周期に応じて、図示しないＰＬＬ（Phase Locked Loop）回路等を利用してクロック信号ＰＣＬＫを生成する。
【００３６】
画像処理部１６０は、同期信号が分離されたアナログ画像信号を、図示しないＡ／Ｄ変換回路等を用いてディジタル画像信号に変換する。その後、画像処理部１６０は、変換後のディジタル画像信号を、対象画像の画像データＤａｔａ（ＲＧＢデータ）として、１フレームごとに記憶部１２０内のＤＲＡＭに格納する。なお、画像処理部１６０は、必要に応じて、画像データに対して、解像度変換処理、輝度、彩度の調整といった種々の色調補正処理、キーストーン補正処理等の画像処理を実行してもよい。
【００３７】
画像処理部１６０は、生成したクロック信号ＰＣＬＫ、垂直同期信号ＶＳｙｎｃ、水平同期信号ＨＳｙｎｃと、記憶部１２０内のＤＲＡＭに格納された画像データＤａｔａとを、送信部５１、５２を介してそれぞれ送信する。なお、送信部５１を介して送信される画像データＤａｔａを「右眼用画像データ」とも呼び、送信部５２を介して送信される画像データＤａｔａを「左眼用画像データ」とも呼ぶ。送信部５１、５２は、制御部１０と画像表示部２０との間におけるシリアル伝送のためのトランシーバーとして機能する。
【００３８】
表示制御部１９０は、表示駆動部２２、２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、表示駆動部２２、２４のそれぞれによる画像光の生成および出力を制御する。例えば、表示制御部１９０は、表示駆動部２２および左表示駆動部２４の両方に画像光を生成させたり、一方のみに画像光を生成させたり、両方共に画像光を生成させなかったりする。なお、右ＬＣＤ２４１および左ＬＣＤ２４２を合わせて「画像形成パネル」とも呼ぶ。
【００３９】
表示制御部１９０は、右ＬＣＤ制御部２１１と左ＬＣＤ制御部２１２とに対する制御信号を、送信部５１、５２を介してそれぞれ送信する。また、表示制御部１９０は、右バックライト制御部２０１と左バックライト制御部２０２とに対する制御信号を、それぞれ送信する。
【００４０】
音声処理部１７０は、コンテンツデータに含まれる音声信号を取得し、取得した音声信号を増幅して、イヤホンジャック１９を介してイヤホン７０に供給する。
【００４１】
検出処理部１６５は、画像表示部２０の加速度の変化を示す情報を取得する。本実施形態では、検出処理部１６５は、検出部６２が検出した画像表示部２０の加速度を取得して、当該加速度と後述する予め設定された閾値ａｔｈとの判定を行い、判定に基づいてコードホルダー４９に本体コード４８を巻き取るか否かの制御信号を送信する。コードホルダー４９は、検出処理部１６５から送信された制御信号に基づき、内部に形成された機械的構造（例えば、ぜんまい）によって本体コード４８を巻き取る。
【００４２】
画像表示部２０は、右表示駆動部２２と、左表示駆動部２４と、右光学像表示部２６としての右導光板２６１と、左光学像表示部２８としての左導光板２６２と、検出部６２と、を備えている。
【００４３】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１と、を含んでいる。
【００４４】
受信部５３は、制御部１０と画像表示部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データと、に基づいて、右ＬＣＤ２４１を駆動する機能を有する。右ＬＣＤ２４１は、複数の画素を配置した透過型液晶パネルである。
【００４５】
右投写光学系２５１は、右ＬＣＤ２４１から出力された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。導光部は、画像光を用いて使用者に虚像を視認させる限りにおいて任意の方式を用いることができ、例えば、回折格子を用いてもよいし、半透過反射膜を用いてもよい。
【００４６】
左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２と、を含んでいる。右表示駆動部２２と左表示駆動部２４とは対になっており、左表示駆動部２４の各部は、右表示駆動部２２で説明する各部と同様の構成および動作を有するので詳細な説明は省略する。
【００４７】
このようにして、頭部装着型表示装置１００の使用者の両眼に導かれた画像光が網膜に結像することにより、使用者は虚像を視認する。
【００４８】
イヤホン７０において、制御部１０のイヤホンジャック１９からイヤホンプラグ７１を介して供給された音声信号は、右スピーカー７２Ｒおよび左スピーカー７２Ｌに共通イヤホンコード７４と右イヤホンコード７３Ｒおよび左イヤホンコード７３Ｌを介して供給される。右スピーカー７２Ｒおよび左スピーカー７２Ｌは、供給された音声信号に基づいて音声を出力する。
【００４９】
Ａ−２．限定範囲調整処理：
図４は、本体コード４８と共通イヤホンコード７４とにおける限定範囲調整処理の流れを示す説明図である。図４に示す処理では、画像表示部２０に形成された検出部６２が画像表示部２０の加速度を検出することにより、コードホルダー４９が本体コード４８の長さを巻き取ることで、短くなった本体コード４８におけるカールコード４７の内部を通る共通イヤホンコード７４の相対位置をより小さい範囲に限定する。
【００５０】
初めに、使用者が画像表示部２０を装着した状態で頭部を動かすと、検出部６２は、頭部の動きに基づく加速度ａｄを検出する（ステップＳ３１０）。次に、制御部１０の検出処理部１６５は、加速度ａｄが予め設定された閾値ａｔｈ以上か否かを判定する（ステップＳ３２０）。加速度ａｄが閾値ａｔｈ未満である場合（ステップＳ３２０：ＮＯ）、検出処理部１６５は、本体コード４８と共通イヤホンコード７４との相対位置を初期状態のまま変化させずに、引き続き、画像表示部２０の加速度ａｄを検出し続ける（ステップＳ３１０）。
【００５１】
加速度ａｄが閾値ａｔｈ以上である場合（ステップＳ３２０：ＹＥＳ）、使用者の頭部を含めて使用者の体も早く動いており、本体コード４８および共通イヤホンコード７４が動作の邪魔になる可能性があると考えられる。そのため、検出処理部１６５は、コードホルダー４９を制御することによって、予め設定された長さになるまで本体コード４８を巻き取る。これにより、共通イヤホンコード７４は、本体コード４８が巻き取られる前と比較して、本体コード４８に対する相対位置が初期状態よりもより限定された小さい範囲に変化する。（ステップＳ３３０）。
【００５２】
図５は、本体コード４８と共通イヤホンコード７４との関係の一例を示す説明図である。図５には、図２におけるＸ１部の拡大図が示されている。図５（ａ）には、検出処理部１６５が閾値ａｔｈ以上の加速度ａｄを検出する前における本体コード４８と共通イヤホンコード７４との関係が示されている。図５（ｂ）には、閾値ａｔｈ以上の加速度ａｄを検出した後に、相対位置が初期状態よりも限定された本体コード４８と共通イヤホンコード７４との関係が示されている。図５（ｂ）に示すように、本体コード４８がコードホルダー４９によって巻き取られると、カールコード４７の長さ方向における螺旋における円の断面積が小さくなり、共通イヤホンコード７４は、長さ方向に対して垂直な方向における自由度が少なくなり、本体コード４８に対する相対位置がより限定された範囲に変化する。
【００５３】
次に、検出処理部１６５は、本体コード４８を巻き取った後、閾値ａｔｈ以上の加速度ａｄを検出しなくなってから予め設定された所定の時間が経過したかを判定する（図４のステップＳ３４０）。所定の時間が経過していない場合（ステップＳ３４０：ＮＯ）、検出処理部１６５は、所定の時間が経過するまで、引き続き、コードホルダー４９が本体コード４８を巻き取った状態（以後、「固定状態」とも呼ぶ）を維持する。所定の時間が経過した場合（ステップＳ３４０：ＹＥＳ）、使用者には、早い動きがなく、ほとんど停止した状態であると考えられ、本体コード４８が固定状態では使用者の動きを制限する可能性があるため、検出処理部１６５は、巻き取った本体コード４８を緩めて初期状態に戻す。これにより、共通イヤホンコード７４は、本体コード４８に対する相対位置の範囲が限定された固定状態から緩和される（ステップＳ３５０）。
【００５４】
以上説明したように、本実施形態における頭部装着型表示装置１００では、イヤホン７０は、音声信号を伝送し、制御部１０に接続されている。制御部１０は、イヤホン７０とイヤホンプラグ７１を介して接続している。制御部１０からイヤホン７０へと送信した音声信号は、共通イヤホンコード７４、右イヤホンコード７３Ｒおよび左イヤホンコード７３Ｌを介して、使用者の耳に音声として出力される。また、画像表示接続部４０は、制御部１０と画像表示部２０とを接続する。画像表示接続部４０の本体コード４８に形成されたカールコード４７およびコードホルダー４９は、本体コード４８と共通イヤホンコード７４との相対位置を所定の範囲に限定している。そのため、この頭部装着型表示装置１００における制御部１０では、本体コード４８に形成されたカールコード４７によって、本体コード４８と共通イヤホンコード７４との相対位置が一定の範囲に限られるため、共通イヤホンコード７４の動きが規制される。よって、共通イヤホンコード７４が他の物に引っかかるおそれがなくなり、使用者が画像表示接続部４０および共通イヤホンコード７４を介して制御部１０およびイヤホン７０を快適に使用することができる。また、本体コード４８によって、共通イヤホンコード７４を簡単にまとめることができる。また、本体コード４８を使用者の体の一部に固定する必要がないため、画像表示接続部４０およびイヤホン７０以外に新たな機器を必要としないで、本体コード４８および共通イヤホンコード７４の配置の自由度を向上させることができる。
【００５５】
また、本実施形態における頭部装着型表示装置１００では、画像表示部２０は、使用者の頭部に装着された状態において、表示駆動部２２，２４によって生成された画像光を使用者に虚像として視認させる。また、制御部１０は、画像表示接続部４０を介して接続された画像表示部２０の制御を行なう。そのため、この頭部装着型表示装置１００では、画像表示接続部４０と、共通イヤホンコード７４、右イヤホンコード７３Ｒおよび左イヤホンコード７３Ｌとは、同じ制御部１０に接続され、それぞれ頭部に装着された画像表示部２０と右スピーカー７２Ｒおよび左スピーカー７２Ｌに接続している。よって、それぞれのコードが同じ使用者の頭部の方向に向かっているため、一体化してまとめることで、使用者は、頭部装着型表示装置１００をより快適に使用することができる。
【００５６】
また、本実施形態の頭部装着型表示装置１００では、制御部１０は、検出部６２の加速度センサーによって画像表示部２０の加速度ａｄを検出する。コードホルダー４９は、加速度ａｄが閾値ａｔｈ以上の場合には、本体コード４８と共通イヤホンコード７４との相対位置をより小さい範囲に限定する。そのため、この頭部装着型表示装置１００では、使用者の動きを検出して、本体コード４８と共通イヤホンコード７４との相対位置を限定する範囲を状況に応じて変更するので、使用者は、頭部装着型表示装置１００をより快適に使用することができる。
【００５７】
また、本実施形態の頭部装着型表示装置１００では、画像表示接続部４０に形成されたカールコード４７は、イヤホン７０の共通イヤホンコード７４を螺旋状に取り囲んでいる。コードホルダー４９は、カールコード４７の長さ方向に沿った長さを短くすることにより、本体コード４８と共通イヤホンコード７４との相対位置をより小さい範囲に限定する。そのため、この頭部装着型表示装置１００では、簡便な構造によって本体コード４８と共通イヤホンコード７４との相対位置を調整できる。また、カールコード４７は、螺旋状のコードであるため、長さ方向に伸縮自在であり、使用者の操作性を向上させることができる。
【００５８】
Ｂ．変形例：
なお、この発明は上記実施形態に限られるものではなく、その要旨を逸脱しない範囲において種々の態様において実施することが可能であり、例えば次のような変形も可能である。
【００５９】
Ｂ１．変形例１：
上記実施形態では、使用者の上半身に配置される装置は、制御部１０と画像表示接続部４０とを介して接続され、頭部に装着される頭部装着型表示装置１００における画像表示部２０としたが、これに限られず、種々変形可能である。例えば、使用者の上半身に配置される装置は、上記実施形態の覆眼式の頭部装着型表示装置１００における画像表示部２０ではなく、単眼式の頭部装着型表示装置の画像表示部等であっても良い。また、使用者の上半身に配置される装置は、頭部装着型表示装置１００に限られず、制御部１０と配線を介して接続される異なる装置であれば良く、例えば、胸元付近の衣服に装着される音声を拾うマイクであっても良い。
【００６０】
また、音声信号を伝送する音声伝送部または音声伝送装置は、上記実施形態におけるイヤホン７０に限られず、種々変形可能である。例えば、両耳ではなく、片耳のみに装着される音声出力装置であっても良い。また、使用者の耳に装着される音声出力装置は、上記実施形態のような使用者の耳の中に右スピーカー７２Ｒおよび左スピーカー７２Ｌを挿入して耳に引っかけるイヤホン（インナーイヤー型イヤホン）ではなく手も良い。例えば、ヘッドホン、耳掛け型のイヤホン、ネックバンド型のイヤホンといった使用者の耳に装着される音声出力装置であっても良い。
【００６１】
また、一体化してまとめられるコードは、本体コード４８および共通イヤホンコード７４に限られず、種々変形可能である。例えば、本体コード４８に形成されたカールコード４７は、共通イヤホンコード７４に加えて、右イヤホンコード７３Ｒおよび左イヤホンコード７３Ｌが動ける範囲を限定しても良い。
【００６２】
また、イヤホン７０における共通イヤホンコード７４は、カールコード４７等によって本体コード４８に対する相対位置が所定の範囲に限定されているが、カールコード４７等が相対位置を限定するコードは共通イヤホンコード７４に限られず、種々変形可能である。図６は、第１変形例における頭部装着型表示装置１００ａが使用者に装着された状態を示す説明図である。図６に示すように、第１変形例では、本体コード４８におけるカールコード４７がイヤホン７０の共通イヤホンコード７４に加えて、本体コード４８に対する音声を拾うマイク９０のマイクコード９３の相対位置を所定の範囲に限定している。マイク９０は、音声を拾う収音マイク部９２と、制御部１０ａに接続するマイクプラグ９４と、収音マイク部９２とマイクプラグ９４とをつなぐマイクコード９３と、を備えている。収音マイク部９２は、図示していないクリップによって、使用者が着用している衣服における胸元付近に装着されている。なお、収音マイク部９２は、衣服以外のもの、例えば、共通イヤホンコード７４に固定されても良いし、固定される方法および位置は種々変形可能である。第１変形例における制御部１０ａは、上記実施形態における制御部１０の構成に加えて、マイク９０におけるマイクプラグ９４が接続されるマイクジャック９９を有している。この変形例では、本体コード４８におけるカールコード４７がイヤホン７０における共通イヤホンコード７４に加えて、マイクプラグ９４が制御部１０ａのマイクジャック９９に接続されて本体コード４８とマイクコード９３との相対位置が所定の範囲に限定されている。そのため、本体コード４８によって、共通イヤホンコード７４およびマイク９０を簡単にまとめることができる。
【００６３】
また、変形例における頭部装着型表示装置１００ａでは、カールコード４７等が共通イヤホンコード７４およびマイクコード９３の相対位置を限定する態様としたが、これに限られない。例えば、イヤホン７０が接続されていない、または、外部スピーカーによって音声を出力している態様において、マイク９０におけるマイクコード９３のみの本体コード４８に対する相対位置が所定の範囲に限定されても良い。
【００６４】
Ｂ２．変形例２：
図７は、第２変形例における本体コード４８ｂと共通イヤホンコード７４ｂとの関係の一例を示す説明図である。図７（ａ）には、第２変形例における本体コード４８ｂと共通イヤホンコード７４ｂとの相対位置が固定されている状態が示されている。図７（ｂ）には、図７（ａ）におけるＸ２部の拡大図が示されている。図７（ａ）に示すように、本体コード４８ｂには、等間隔に複数のボタン部４１が形成されている。また、共通イヤホンコード７４ｂには、ボタン部４１の間隔と同じ間隔で複数の留め部７９が形成されている。ボタン部４１に部７９を引っかけることにより、本体コード４８ｂと共通イヤホンコード７４ｂとの相対位置は、長さ方向において固定されている。なお、他の形態では、複数のボタン部４１の間隔は異なっていても良い。
【００６５】
図７（ｂ）に示すように、ボタン部４１は、基板４３と、接合部４５と、から構成されている。基板４３は、円形の平板形状であり、突起している接合部４５が平板の中心に形成されている。接合部４５は、円柱状の突起であり、中央に本体コード４８ｂが貫通する穴が形成されている。本体コード４８ｂは、複数の接合部４５に形成された穴を貫通することで、接合部４５を固定している。共通イヤホンコード７４ｂの留め部７９は、樹脂製の紐で、中に空間を有するように円状に形成されている。衣服のボタンを留めるように、留め部７９に形成された空間にボタン部４１の基板４３をくぐらせることにより、本体コード４８ｂと共通イヤホンコード７４ｂとの相対位置が固定される。なお、ボタン部４１と留め部７９とは、取り外しが可能である。
【００６６】
この第２変形例では、画像表示接続部４０における本体コード４８ｂは、共通イヤホンコード７４ｂにおける留め部７９と取り外し可能に形成されたボタン部４１を有している。そのため、本体コード４８ｂと共通イヤホンコード７４ｂとの相対位置は、コードの長さ方向においても固定され、本体コード４８ｂと共通イヤホンコード７４ｂとをより一体化してまとめることができる。また、留め部７９とボタン部４１との取り外しが可能であるため、利便性が向上する。
【００６７】
この第２変形例における本体コード４８ｂでは、ボタン部４１と共通イヤホンコード７４ｂに形成された留め部７９とを引っかけることにより、本体コード４８ｂと共通イヤホンコード７４ｂとの相対位置を固定したが、固定方法はこれに限られず、種々変形可能である。例えば、ボタン部４１における基板４３をクリップにして、当該クリップにより共通イヤホンコード７４ｂ自体を挟み込んで固定しても良い。この固定方法では、共通イヤホンコード７４ｂに留め部７９を形成することなく、本体コード４８ｂと共通イヤホンコード７４ｂとの相対位置を固定することができる。
【００６８】
Ｂ３．変形例３：
図８は、第３変形例における本体コード４８ｃと共通イヤホンコード７４ｃとの関係の一例を示す説明図である。図８には、第３変形例における本体コード４８ｃと共通イヤホンコード７４ｃとの相対位置が固定されている状態が示されている。図８に示すように、第３変形例における本体コード４８では、第２変形例におけるボタン部４１に代えて、電流が供給されると磁石として機能する電磁石９１が本体コード４８ｃに形成され、留め部７９に代えて、金属部７６が共通イヤホンコード７４ｃに形成されている。電磁石９１は、制御部１０と接続されており、制御部１０の電源１３０から電流が供給される。そのため、電磁石９１が磁石として機能すると、共通イヤホンコード７４ｃは、本体コード４８ｃに吸着して、本体コード４８ｃに対する相対位置が固定される。なお、電磁石９１への電流の供給は、制御部１０の操作部１３５のいずれかのボタン（例えば、メニューキー１７（図１））の操作によって供給されても良いし、上記実施形態のように、検出部６２の検出によって供給されても良い。この第３変形例では、使用者は、操作部１３５を操作することにより、本体コード４８ｃと共通イヤホンコード７４ｃとを簡便に取り外すことができる。なお、第３変形例におけるメニューキー１７は、本発明における操作部に相当する。
【００６９】
Ｂ４．変形例４：
図９は、第４変形例における本体コード４８ｄと共通イヤホンコード７４ｄとの関係の一例を示す説明図である。図９（ａ）には、第４変形例における本体コード４８ｄと共通イヤホンコード７４ｄとの相対位置が固定されている状態が示されている。図９（ｂ）には、図９（ａ）の断面Ｙ１における断面図が示されている。図９（ａ）に示すように、本体コード４８ｄには、本体コード４８ｄと共通イヤホンコード７４ｄとを固定している固定シート８０が形成されている。固定シート８０は、本体コード４８ｄの長さ方向に沿って一定区間に形成されている。固定シート８０が形成されている区間は、画像表示接続部４０の全長のうち１０％の長さである。図９（ｂ）に示すように、固定シート８０は、シート材８４と、チャック８２と、から構成されている。シート材８４は、本体コード４８ｄに加えて共通イヤホンコード７４ｄを包み込む。チャック８２は、チャックすることによりシート材８４によって包み込まれたコードを一体化する。なお、第４変形例では、固定シート８０は、本体コード４８ｄにおける１箇所に形成されているが、他の変形例では、２箇所以上に形成されていても良い。
【００７０】
この第４変形例では、固定シート８０は、本体コード４８ｄにおける長さ方向に沿って一定区間に形成されており、当該区間は、画像表示接続部４０における長さ方向に沿った１０％の長さである。そのため、この第４変形例では、固定シート８０によって、共通イヤホンコード７４ｄを本体コード４８ｄにおける１０％以上の長さにおいて一体化するので、共通イヤホンコード７４ｄと本体コード４８ｄとの相対位置を強く固定することができる。また、本体コード４８ｄに対して相対位置が固定される共通イヤホンコード７４ｄは、例えば、第２変形例におけるボタン部４１といった器具が不要であるため、汎用性が高いコードをまとめる方法を提供することができる。
【００７１】
Ｂ５．変形例５：
また、上記実施形態における本体コード４８および共通イヤホンコード７４を一体化する方法については、種々変形可能である。図１０は、第５変形例における本体コード４８ｅと共通イヤホンコード７４ｅとの関係の一例を示す説明図である。図１０には、第５変形例における本体コード４８ｅと共通イヤホンコード７４ｅとの相対位置が固定されている状態が示されている。図１０に示すように、本体コード４８ｅには、電流が供給されると磁石として機能する電磁石９１ｅが長さ方向に沿って一定区間に形成されている。また、共通イヤホンコード７４ｅの内部には、金属部７６ｅが長さ方向に沿って一定区間に形成されている。そのため、電磁石９１ｅが磁石として機能すると、共通イヤホンコード７４ｅは、本体コード４８ｅに吸着して、本体コード４８ｅに対する相対位置が固定される。なお、電磁石９１ｅへの電流の供給は、制御部１０の操作部１３５の操作によって供給されても良いし、上記実施形態のように、検出部６２の検出によって供給されても良い。
【００７２】
Ｂ６．変形例６：
図１１は、第６変形例における本体コード４８ｆと共通イヤホンコード７４ｆとの関係の一例を示す説明図である。図１１には、第６変形例における本体コード４８ｆと共通イヤホンコード７４ｆとの相対位置が固定されている状態が示されている。図１１に示すように、本体コード４８ｆには、長さ方向にジッパー９８が形成されている。また、同じように、共通イヤホンコード７４ｆには、長さ方向にジッパー７８が形成されている。本体コード４８ｆは、本体コード４８ｆのジッパー９８と共通イヤホンコード７４ｆのジッパー７８とを嵌合させるためのスライダー９５を有している。頭部装着型表示装置１００の使用者は、スライダー９５を使用することで、本体コード４８ｆと共通イヤホンコード７４ｆとを一体化したり、分離させたりすることができる。
【００７３】
Ｂ７．変形例７：
上記実施形態では、図４のステップＳ３３０の工程において、予め設定された長さになるまで本体コード４８を巻き取る態様としたが、巻取りの条件は、この態様に限られず、種々変形可能である。例えば、コードホルダー４９または制御部１０に本体コード４８の張力を測定できる張力器を備え、本体コード４８の張力によって巻き取る長さを適時変更しても良い。この変形例の本体コード４８は、張力によって巻き取られる量が違うため、使用者の身長等に応じて適切な巻き取り量を設定することができる。
【００７４】
また、上記実施形態では、初期状態から固定状態へと本体コード４８を巻き取る処理としたが（図４のステップ３３０からステップ３５０までの処理）、この処理に限られず、種々変形可能である。例えば、初期状態が固定状態であり、使用者が体を動かしたいときに、本体コード４８の巻き取り量を少なくすることで、使用者が動きやすくなるような処理としても良い。また、検出部６２が検出する値も、使用者の頭部の加速度に限られず、種々変形可能である。例えば、検出部６２にジャイロセンサーを用いることで、使用者の頭部の回転を検出して、本体コード４８の巻き取り量を適時調整しても良い。また、制御部１０は、インターフェイス１８０（図２）を介して供給されるコンテンツデータに応じて本体コード４８の巻き取り量を変更しても良い。例えば、映画のような長時間見続けるようなコンテンツの場合には、使用者が大きく動くことが少ないと考えられるため、制御部１０は、巻き取り量を少なくして、本体コード４８と共通イヤホンコード７４との相対位置を限定する範囲を大きくする設定としても良い。
【００７５】
また、上記実施形態では、操作部１３５は、制御部１０と一体として形成されている態様としたが、これに限られず、種々変形可能である。操作部１３５は、制御部１０と別体で構成され、例えば、リモコンのように、別体で小さくされることにより、携帯性が上昇し、使用者の操作性を上昇させる態様としても良い。操作部１３５が操作されることで、本体コード４８の巻き取り量の設定値を、使用者の好みに合わせて変更できる設定にしても良い。
【００７６】
Ｂ８．変形例８：
上記実施形態の頭部装着型表示装置１００では、制御部１０に接続されている画像表示接続部４０における本体コード４８に、カールコード４７およびコードホルダー４９が形成されている。カールコード４７およびコードホルダー４９によって、本体コード４８とイヤホン７０の共通イヤホンコード７４との相対位置は、所定の範囲に限定されているが、相対位置を規制する構造が形成される箇所は、これに限られず、種々変形可能である。例えば、イヤホン７０における共通イヤホンコード７４、または、マイク９０におけるマイクコード９３に、カールコード４７およびコードホルダー４９が形成されて、コード間の相対位置が所定の範囲に限定されても良い。また、図９に示した第４変形例において本体コード４８ｄに形成された固定シート８０が共通イヤホンコード７４に形成され、共通イヤホンコード７４に形成された固定シート８０が共通イヤホンコード７４と本体コード４８ｄとの相対位置を所定の範囲に限定しても良い。この変形例におけるイヤホン７０とマイク９０とのうち少なくとも一方および画像表示接続部４０を備える電子機器システムでは、コード間の相対位置を所定の範囲に限定する構造は、イヤホン７０とマイク９０とのうち一方または本体コード４８のいずれかに形成されていれば良い。そのため、コード間の相対位置を所定の範囲に限定する構造を形成するコードを自由に選択できるため、この電子機器システムにおける設計の自由度が向上する。
【００７７】
本発明は、上記実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００７８】
１０…制御部
１１…決定キー
１２…点灯部
１３…表示切替キー
１４…トラックパッド
１５…輝度切替キー
１６…方向キー
１７…メニューキー（操作部）
１８…電源スイッチ
１９…イヤホンジャック
２０…画像表示部（特定装置、頭部装着型画像表示装置）
２１…右保持部
２２…右表示駆動部（画像光生成部）
２３…左保持部
２４…左表示駆動部（画像光生成部）
２６…右光学像表示部
２８…左光学像表示部
４０…画像表示接続部（電子機器配線）
４１…ボタン部（位置限定部）
４２…右本体コード
４３…基板
４４…左本体コード
４５…接合部
４６…本体コード連結部材
４７…カールコード（位置限定部）
４８…本体コード
４９…コードホルダー（位置限定部）
５１…送信部
５２…送信部
５３…受信部
５４…受信部
６２…検出部
７０…イヤホン（音声伝送部）
７１…イヤホンプラグ（音声配線接続部）
７２Ｌ…左スピーカー
７２Ｒ…右スピーカー
７３Ｌ…左イヤホンコード（音声伝送用配線）
７３Ｒ…右イヤホンコード（音声伝送用配線）
７４…共通イヤホンコード（音声伝送用配線）
７５…コード結合部（音声伝送用配線）
７６…金属部
７８…本体コードのジッパー
７９…留め部
８０…固定シート（位置限定部）
８２…チャック
８４…シート材
９０…マイク（音声伝送部）
９１…電磁石
９２…収音マイク部
９３…マイクコード（音声伝送用配線）
９４…マイクプラグ（音声配線接続部）
９５…スライダー
９８…共通イヤホンコードのジッパー
９９…マイクジャック
１００…頭部装着型表示装置
１１０…入力情報取得部
１２０…記憶部
１３０…電源
１３５…操作部
１４０…ＣＰＵ
１６０…画像処理部
１６５…検出処理部
１７０…音声処理部
１８０…インターフェイス
１９０…表示制御部
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
ＰＣＬＫ…クロック信号
ＶＳｙｎｃ…垂直同期信号
ＨＳｙｎｃ…水平同期信号
Ｄａｔａ…画像データ
ＯＡ…外部機器
ＰＣ…パーソナルコンピューター
ＲＥ…右眼
ＬＥ…左眼
ＥＬ…端部
ＡＰ…先端部
ＥＲ…端部
ａｄ…加速度
ａｔｈ…閾値
【図１】
2014075683.tif 000003
【図２】
2014075683.tif 000004
【図３】
2014075683.tif 000005
【図４】
2014075683.tif 000006
【図５】
2014075683.tif 000007
【図６】
2014075683.tif 000008
【図７】
2014075683.tif 000009
【図８】
2014075683.tif 000010
【図９】
2014075683.tif 000011
【図１０】
2014075683.tif 000012
【図１１】
2014075683.tif 000013